(57)【特許請求の範囲】
【請求項１】
使い捨てプルオン吸収性物品であって、
腰部開口部と、１対の脚部開口部と、を有する使い捨てプルオン吸収性物品であって、  前記物品は、シャーシを備え、
前記シャーシは、前方部分と、後方部分と、それらの間の股部部分と、を有し、
前記物品は、ベルト部分を更に備え、
前記ベルト部分は、前方ベルト部分と、後方ベルト部分と、左及び右側方ベルト部分と、を有し、
前記ベルト部分は、前記シャーシに対して横方向に配置され、
前記側方ベルト部分は、前記シャーシから外側に横方向に延在し、
前記ベルト部分は前記腰部開口部を画定し、
前記前方ベルト部分及び前記後方ベルト部分がそれぞれ、エラストマー材を含み、前記腰部開口部は弾性的に伸縮可能であり、
前記ベルト部分内の前記エラストマー材は、前記物品が伸長力ＦＤを受けた場合に、前記物品が前記腰部開口部の設計フィット範囲を有するように構成されており、
前記設計フィット範囲は、予定された着用者の腰部サイズ範囲に対応するとともに、前記腰部開口部が伸長され得る最大範囲未満を示し、
前記物品は、その前記ベルト部分内に配置されたフィット性表示図形を更に備え、
前記物品の前記腰部開口部が完全な収縮状態から前記設計フィット範囲までの範囲内で伸長すると、前記フィット性表示図形が第１の外観と同様になり、
前記物品の前記腰部開口部が前記設計フィット範囲内で伸長すると、前記フィット性表示図形が第２の外観と同様になり、
前記物品の前記腰部開口部が伸長力ＦＥによって前記設計フィット範囲を越えて伸長すると、前記フィット性表示図形は第３の外観と同様になり、
前記物品が着用者によって着用されているときに、前記フィット性表示図形が前記第２の外観と同様になることを視認することで、前記着用者における前記物品の前記設計フィット範囲への対応が確認され得て、
前記物品は、参照図形を更に備え、
前記参照図形は、前記シャーシ上に配置され、伸長力に従う外観に認知できる変化を受けず、前記参照図形は、前記フィット性表示図形の前記第２の外観に連携する、使い捨てプルオン吸収性物品。
【請求項２】
前記参照図形と前記フィット性表示図形との間の前記連携が、外観と相似である、請求項１に記載の吸収性物品。
【請求項３】
前記参照図形は、参照色を含み、
前記フィット性表示図形が前記第２の外観を有する際に、前記フィット性表示図形は前記参照色と調和し、
前記第１の外観、前記第２の外観、及び前記第３の外観が、色又は色の強度において異なる、請求項１に記載の吸収性物品。
【請求項４】
前記シャーシは、前記前方部内及び前記後方部分内の本体の腰部パネルと、前記股部部分内の前記本体の股部パネルと、を含み、
前記本体は、液体不透過性バックシートを含み、
前記参照図形は、前記液体不透過性バックシート上に印刷される、請求項１〜３のいずれか一項に記載の物品。
【請求項５】
前記ベルト部分は、外側層及び内側層から作製され、
前記フィット性表示図形は、前記外側層の内側表面上又は前記内側層の外側表面上に印刷される、請求項４に記載の物品。
【請求項６】
使い捨てプルオン物品のアレイであって、
前記アレイは、請求項１〜５のいずれか一項に記載の第１の物品及び請求項１〜５のいずれか一項に記載の第２の物品を含み、
前記第１の物品が、前記第２の物品より小さく、
前記第１の物品の前記設計フィット範囲が、前記第２の物品の前記設計フィット範囲と少なくとも部分的に重なり合う、アレイ。
【発明の詳細な説明】
【技術分野】
【０００１】
本発明は、使い捨てプルオン型衣類に関する。
【背景技術】
【０００２】
幼児、乳児、小児、及び他の失禁症状のある個人は、尿、糞便、及び他の身体排出物を受容し封じ込めるおむつなどの使い捨て吸収性物品を着用することが多い。そのような使い捨て吸収性物品には、少なくとも２つの基本設計がある。そのような設計の１つは、製品の腰部が、着用者の胴体の周囲に配置される前に開いた構成になっている「開いた」又は「テープ付き」設計である。適用プロセスの一環として、製品は、テープ付きの又は機械的締着具を用いるなどで着用者の腰部の周囲で閉じられる。別の共通の設計は、閉じた、かつ概して伸縮性のある、腰部構成を有する製品によって特徴付けられる「閉じた」又は「プルオン」設計である。製品は、通常適用するために着用者の腰部及び脚部の周囲で広がり、一度できちんと静かに（例えば弾性収縮材料の使用によって）縮む。この製品の第２の型、いわゆる「プルオン」又は「パンツ」型はトイレトレーニング中の、歩くことができる、子どもに対する、又は単に「開いた」若しくは「テープ付き」設計の代わりとしての使用が一般的である。
【０００３】
プルオン吸収性物品の適切なフィット性が、製品の十分に満足のいく性能にとって重要であることは理解されている。概して、そのようなプルオン型吸収性物品は、物品の腰部開口部及び脚部開口部の周囲に位置する弾性収縮部材によって着用者の身体上の定位置に保持される。そのようなプルオン吸収性物品の共通の特徴は、腰部開口部が、最も所望の弾性的フィット力に対応する最適の腰部開口サイズよりも実質的に大きい範囲にわたって広がり得ることである。この「過伸長する」能力は、着用者が靴を着用している場合など潜在的な障害に直面しても、プルオン物品を最も容易に適用できるようにするため所望されることが多い。
【０００４】
一部のプルオン型吸収性物品の腰部における伸長する能力が実際の着用中に必要とされる以上であるにもかかわらず、使用中の腰部の伸長はより狭い範囲内であることが望ましい。これは、腰部弾性材によって生成される力が所定の着用者にとって最適な範囲にあるようにするためである。そのような弾性収縮部材によって生成される力が不十分な程度に低い場合、製品は弛むか又はずり落ちる（特に尿又は他の排出物で荷重を受けるようになるため）。対照的に、弾性収縮部材によって生成される力が高すぎる場合、介助者又は着用者は、製品の適用又は取り外しに困難を来す場合がある。加えて、弾性収縮力が高すぎる場合、製品は着用者の身体上に赤い跡を付ける、又は他の望ましくない利用体験につながる過剰な圧力をかける恐れがある。たとえ最適な範囲を越えて伸びた弾性収縮部材によって生成される力が十分高かったとしても、他の欠点が生じることがある。例えば、そのような製品が所定の着用者に物理的に最初にフィットし得るということは、結果として起こる弾性部材の延伸が最適の範囲を越えても、かかる着用者が製品に対して大きすぎる可能性があることを隠す恐れがあり、したがって、特定のサイズの製品が処理するように設計されているよりも多くの尿を製品に取り込む恐れがある。このマイナスの製品性能は、かかる着用者が、弾性伸縮部材の使用中の延伸が特定の衣類設計に対する最適の範囲内であるように別のサイズの衣類を装着した場合、しばしば避けることができた。
【０００５】
適切なフィット性の重要性が、プルオン型吸収性物品のメーカーによって理解される一方で、消費者は、使用するために販売されている適切なサイズの製品を選択する際に困難に直面することが多くある。これは、乳児又は小児用に設計されたプルオン吸収性物品の場合に特に該当し得る。上述のように、製品の開口部が伸長され得る物理量が設計フィット性を最もよく達成するサイズより広い範囲にわたる場合、更に特に該当し得る。適切にフィットする製品は、大部分の購入者によって容易に知られることが見込まれる代理情報によって、提案されることが多い。例えば、製品パッケージ上の所定の重量範囲は、適切な製品選択のために選択情報が消費者に与えられる典型的な方法である。このアプローチが場合によってはうまくいくことがある一方で、重量は、プルオン吸収性物品の所定の設計から最適なフィット性を得る能力に最も影響を与える着用者の身体的な特徴と必ずしも直接一致しない。最適な製品フィット性のために最も重要な着用者の身体的な特徴は、プルオン型吸収性物品で考慮される設計の詳細に応じていくらか異なる。これらの特徴には、サイズが挙げられるが、重量だけでよく推定されないこともある着用者の身体領域、可動域特性、及び他の属性の関連サイズもまた挙げられる。
【発明の概要】
【発明が解決しようとする課題】
【０００６】
したがって、プルオン吸収性物品自体の設計に対応するために特に設計された、改善された、かつ使いやすいフィット性評価機能と共に提供されるプルオン使い捨て吸収性物品に対する必要性が存在する。
【課題を解決するための手段】
【０００７】
本発明は、腰部開口部及び１対の脚部開口部を有する使い捨てプルオン吸収性物品を目的とする。物品は、前方部分、後方部分、及びそれらの間に股部部分を有するシャーシを備える。物品は、ベルト部分を更に備える。ベルト部分は、前方ベルト部分、後方ベルト部分、並びに左及び右側方ベルト部分を備え、ベルト部分は、該シャーシに対して横方向に配置され、側方ベルト部分は、シャーシから外側に横方向に延在する。ベルト部分は、腰部開口部を形成する。前方ベルト部分及び後方ベルト部分はそれぞれ、エラストマー材を含み、該腰部開口部は弾性的に伸縮可能である。ベルト部分内のエラストマー材は、該腰部開口部が伸長され得る最大範囲未満であることを示す正歪み設計フィット範囲（positive strain design fit range）によって腰部開口部を特徴付けるように構成される。物品は、そのベルト部分に配置されたフィット性表示図形を更に備える。物品の腰部開口部が、完全な接触状態から設計フィット範囲までの範囲内で歪みを与えられると、フィット表示図形は第１の外観を有する。物品の腰部開口部が、設計フィット範囲内で歪みを与えられると、フィット性表示図形は第２の外観を有する。物品の腰部開口部が、設計フィット範囲を越えて歪みを与えられると、フィット性表示図形は第３の外観を有する。物品が着用者によって着用されているときに、フィット性表示図形が該第２の外観を有することを視認することで、着用者における物品の設計フィット範囲への一致が確認され得る。
【０００８】
本発明の別の態様では、物品は、ベルト領域のシャーシ外側上に配置された参照図形を更に含み得る。参照図形は、該フィット性表示図形の該第２の外観と連携する。更に別の態様では、参照図形とフィット性表示図形（indictor）との間のこの連携は、外観の一致である。あるいは、参照図形とフィット性表示図形との間の連携は、相補的外観である。
【０００９】
本発明の別の態様では、参照図形は参照色を含んでもよく、該フィット性表示図形が第２の外観を有する際にフィット性表示図形は参照色と調和する。この態様の変形例では、第１の外観、第２の外観、及び第３の外観において、表示図形は、色において異なる。別の変形例では、第１の外観、第２の外観、及び第３の外観において、フィット性表示図形は、ほぼ同様の色において強度が異なってよい。
【００１０】
本発明の別の態様では、腰部開口部が伸長され得る最大範囲は、設計フィット範囲を少なくとも１００％、更に別の態様では少なくとも２００％上回る。
【００１１】
本発明の別の態様では、発明は、使い捨てプルオン物品のアレイを含んでよい。そのアレイは、本発明による第１の物品及び本発明による第２の物品を含む。第１の物品の設計フィット範囲は、第２の物品の設計フィット範囲より小さい。第１の物品のフィット性表示図形の該第３の外観に対応する腰部開口部の歪みの範囲は、そのアレイ内の該第２の物品の設計フィット範囲と少なくとも部分的に重なり合う。
【図面の簡単な説明】
【００１２】
本明細書の末尾には、本発明を構成するものと見なされる主題を具体的に特定しかつ個別に特許請求する特許請求の範囲が添付されているが、本発明は、実質的に同様の要素が同様の符合を用いて示されている添付の図面と以下の説明文を併せ読むことでより良く理解されるものと考えられる。
【図１】本発明によるフィット性表示図形を有する使い捨てプルオン吸収性物品の正面図である。
【図２】内側表面を示す平らな非収縮状態の図１のプルオン吸収性物品の平面図である。
【図３】線３−３に沿って切り取った、図２の断面図である。
【図４】線４−４に沿って切り取った、図２の断面図である。
【図５】第１の（伸長不足）状態にある本発明のフィット性表示図形の表示である。
【図６】第２の（伸長した設計フィット性）状態における図５のフィット性表示図形の表示である。
【図７】第３の（過伸長）状態における図５のフィット性表示図形の表示である。
【図８】第１の状態における本発明のフィット性表示図形の別の表示である。
【図９】第２の状態における図８のフィット性表示図形の表示である。
【図１０】第３の状態における図８のフィット性表示図形の表示である。
【図１１】第１の状態における本発明のフィット性表示図形の第２の別の表示である。
【図１２】第２の状態における図１１のフィット性表示図形の表示である。
【図１３】第３の状態における図１１のフィット性表示図形の表示である。
【図１４】図１１〜１３に示すフィット性表示図形に対応する本発明による参照図形である。
【発明を実施するための形態】
【００１３】
本明細書で使用するとき、用語「プルオン吸収性物品」、「プルオン衣類、パンツ」、及び「パンツ様衣類」は、互換可能であることを意図し、予備成形された腰部及び脚部開口部を有する使い捨て吸収性物品を指す。プルオン吸収性物品は、脚部開口部に着用者の脚を挿入し、物品を着用者の下部胴体の周囲の位置に滑らせることによって、身に着けることができる。これらの物品はまた、通称「閉じたおむつ」、「予め締結されたおむつ」、「プルオンおむつ」、「トレーニングパンツ」、「おむつパンツ」、及び「予め閉じたおむつ」とも呼ばれる場合があり、その用語の全てはこの定義と同じ意味を有することを意図している。
【００１４】
本明細書では、用語「使い捨て」は、洗濯、又は別の方法で衣類として復元若しくは再利用することを目的としない衣類（すなわち、それらは１回使用後に廃棄されることを目的とし、好ましくはリサイクルされるか、堆肥化されるか、又は環境に適した方式で処理されることを目的とする）を記述するために使用される。
【００１５】
「吸収性物品」とは、身体排出物を吸収及び収容するデバイスを指し、より詳細には、着用者の身体に接してあるいは、近接して配置されて、身体から排出される様々な排出物を吸収し、収容するデバイスを指す。代表的な吸収性物品としては、おむつ、トレーニングパンツ、プルオンパンツ型おむつ（すなわち、米国特許第６，１２０，４８７号に示されているような予め形成された腰部開口部及び脚部開口部を有するおむつ）、再締結可能おむつあるいは、パンツ型おむつ、失禁用ブリーフ及び下着、おむつホルダ及びライナー、パンティライナーなどの女性用生理衣類、吸収性挿入物などが挙げられる。プルオン吸収性物品は、概ね幼児、乳児、小児及び他の失禁症状のある個人によって着用され、尿、糞便、及び他の体液を吸収し収容する。
【００１６】
本明細書で使用するとき、用語「接合した」は、１つの要素を他の要素に直接付着させることによりその要素が他の要素に直接固定される構成と、１つの要素を中間部材に付着させて、次に中間部材を他の要素に付着させることにより、その要素が他の要素に間接的に固定される構成とを包含する。
【００１７】
用語「近位」及び「遠位」はそれぞれ、構造体の長手方向又は横方向の中心線に比較的近い又は遠い要素の位置を指す（例えば、長手方向に延びる要素の近位縁が、同じ要素の遠位縁が同じ長手方向中心線に対して配置されているよりも長手方向中心線により近く配置されている）。
【００１８】
「身体に面する」及び「衣類に面する」とは、それぞれ要素の相対位置又は要素若しくは要素群の面を指す。「身体に面する」とは、要素又は面が他の要素又は面より着用時に着用者により近いことを意味する。「衣類に面する」とは、要素又は面が他の要素又は面より着用時に着用者からより遠く離れていることを意味する（すなわち、要素又は面が、吸収性のある使い捨て物品の上に着用され得る着用者の衣類に近接する）。
【００１９】
「長手方向の」とは、物品の腰縁部から対向する腰縁部に実質的に垂直に及び物品の最大直線寸法にほぼ平行に走る方向を指す。長手方向の４５度以内の方向は「長手方向」であると見なされる。
【００２０】
「横断方向」又は「横方向」とは、物品の長手方向に延びる縁部から、対向する長手方向に延びる縁部まで達する方向であり、長手方向に対してほぼ直角な方向を指す。横方向の４５度以内の方向は「横方向」であると見なされる。
【００２１】
「配置される」とは、要素が特定の場所又は位置に位置決めされていることを指す。
【００２２】
「フィルム」は、長さ及び幅が厚みを大きく超えるシート状材料を指す。典型的に、フィルムは約０．５ｍｍ以下の厚さを有する。
【００２３】
「水透過性」及び「水不透過性」は、使い捨て吸収性物品の意図された使用に関連する材料の浸透可能性を指す。具体的には、用語「透水性」は、液体の水、尿又は合成尿が強制圧力がない状態でその厚さを通過できる孔、開口部及び／又は結合された空隙を有する層又は層構造体を指す。逆に、用語「水不透過性」は、液体の水、尿又は合成尿が例えば静水圧など強制圧力（重力などの自然の力とは別に）がない状態でその厚さを通過できない層又は層構造体を指す。この定義に従う水不透過性の層又は層構造は、水蒸気に対して透過性であってもよく、すなわち、「水蒸気透過性」であってもよい。
【００２４】
「延伸性」及び「延伸性がある」とは、弛緩状態の構成要素の幅又は長さを伸ばす又は増大させることができることを意味する。
【００２５】
「伸縮性」又は「弾性のある」は、構成要素が弾性材から作製された少なくとも一部分を含むことを意味する。
【００２６】
「伸長性材料」、「延伸性材料」、又は「伸縮性材料」は互換的に使用され、バイアス力を加えると、破裂又は破断することなく、ＥＤＡＮＡ法２０．２〜８９で測定して弛緩した元の長さの少なくとも約１１０％の伸長した長さまで延伸でき（すなわち、元の長さよりも１０％長く延伸でき）、加えた力を除くと、完全に破裂又は破断することなく、その伸びの約２０％未満というわずかな回復を示す材料を指す。このような伸長性材料が、適用された力を解放した際に、その伸長の少なくとも４０％回復する場合、伸長性材料は、「弾性」又は「エラストマー」と見なされる。例えば、１００ｍｍの初期長さを有する弾性材料は、少なくとも１５０ｍｍまで延びることができ、力を解放した際に、１３０ｍｍ以下の長さまで戻る（すなわち、４０％の回復を示す）。材料が、印加した力の解放時に、その伸長の４０％未満を回復する場合、伸長性材料は、「実質的に非弾性」又は「実質的に非エラストマー性」であると考えられる。例えば、１００ｍｍの初期長さを有する伸長性材料は、少なくとも１５０ｍｍまで延びることができ、力を解放した際に、少なくとも１４５ｍｍの長さまで戻る（すなわち、１０％の回復を示す）。
【００２７】
「エラストマー材」は、弾性性質を示す材料である。エラストマー材としては、エラストマーフィルム、スクリム、不織布及び他のシート状構造体を挙げることができる。
【００２８】
「同一」とは、比較対象の物体が同じであることを意味する（例えば、バックシートフィルムＢと比較したバックシートフィルムＡ、トップシートＢと比較したトップシートＡ、シャーシＢと比較したシャーシＡ、物品Ｂの同じ部分と比較した物品Ａの部分など）。
【００２９】
「実質的に同一」とは、当業者によって理解されるように、比較対象の物品が本質的に同一であるように酷似していることを意味する。「少なくとも実質的に同一」には「同一」が含まれる。
【００３０】
「伸長する」及び「歪みを与える」は、同じ意味を有し、伸長力を受けたときの材料の伸長を指す。エラストマー材は、歪みを与えられると、その初期構成の方へと弛緩しようとする時に戻り力を生成する傾向がある。したがって、エラストマー材の伸長、つまり歪みの度合とそのような材料が生成する戻り傾向がある力との間には、関係がある。
【００３１】
本発明のプルオン衣類の好ましい実施形態は、図１に示す使い捨て吸収性プルオン衣類、プルオンおむつ２０である。本明細書で使用するとき、「プルオンおむつ」という用語は、概ね幼児及び他の失禁症状のある個人が着用して、尿及び糞便を吸収し、収容するプルオン衣類を指す。しかし、本発明は、トレーニングパンツ、失禁者用ブリーフ、女性用衛生衣類、又は、パンティなど、他のプルオン衣類にも適用できることを理解されたい。本明細書で使用するとき、「接合されている」という用語には、ある要素を別の要素に直接結合させることによって、ある要素を別の要素に直接固定させる構成と、ある要素を中間部材に結合させてから、その中間部材を他の要素に結合させることによって、ある要素を別の要素に間接的に固定させる構成が含まれる）。
【００３２】
図１は、本発明の使い捨てプルオン吸収性物品２０の正面図である。プルオン吸収性物品２０は、長手方向中心線Ｌ１及び横断方向中心線Ｔ１を有する（図２も参照）。プルオン吸収性物品２０は、外側表面２２、外側表面２２に対向する内側表面２４、前方領域２６、後方領域２８、股部領域３０、及び前方領域２６と後方領域２８とを接合して、２つの脚部開口部３４及び腰部開口部３６を形成するシーム３２を有する。図２も参照すると、プルオン吸収性物品２０は、シャーシ１０及びベルト部分１１を備える。シャーシ１０は、前方領域２６から股部領域３０を通って後方領域２８まで長手方向中心線Ｌ１（図２に示す）に沿って長手方向に延在する。シャーシ１０は、前方部分１２、後方部分１３、及びそれらの間に股部部分１４を備える。ベルト部分１１は、シャーシ１０から横方向外側に延在する。ベルト部分１１は、前方領域２６内の前方ベルト部分１５、及び後方領域２８内の後方ベルト部分１６を備える。前方ベルト部分１５及び後方ベルト部分１６のそれぞれは、長手方向中心線Ｌ１から横方向外側に延在して、左側ベルト部分１７及び右側ベルト部分１８を画定する。
【００３３】
図１〜３は、本発明による使い捨てプルオン吸収性物品２０の一実施例を示す。図１及び２に示すように、プルオン吸収性物品２０は、着用者の股部領域を覆う吸収性シャーシ１０、及び腰部開口部３６の周囲を横方向に延在するベルト部分１１を備える。プルオン吸収性物品２０はまた、シャーシ１０を覆う外側カバー層４２を備え得る。ベルト部分１１は、腰部開口部３６を画定する。ベルト部分１１及びシャーシ１０並びに／又は外側カバー層４２は、共に脚部開口部３４を画定する。あるいは、ベルト部分１１及び外側カバー層４２は、共に脚部開口部３４を画定してもよい。
【００３４】
吸収性本体３８は、シャーシ１０上、最も一般的には本体の股部部分１４内に付着した身体排出物を吸収し、収容する。図２に示す実施形態では、本体３８は、長手方向中心線Ｌ２、横断方向中心線Ｔ２、左右の長手方向に延在する側縁部４８（以下、「長手方向側縁部」と称されることもある）、並びに前方及び後方の横方向に延在する末端縁部５０（以下、「横方向末端縁部」と称されることもある）を有するほぼ方形形状を有する。本体３８はまた、腰部パネル（すなわち、プルオン物品２０の前方腰部領域２６に位置付けられる前方腰部パネル５２及び後方腰部領域２８に位置付けられる後方腰部パネル５４）及び前方と後方腰部パネル５２、５４との間の股部領域３０の股部パネル５６を有する。
【００３５】
ベルト部分１１は、前方ベルト部分１５及び後方ベルト部分１６（以下、「前方及び後方ベルト１５、１６と称されることもある）を備え、前方ベルト１５及び後方ベルト１６と接続することによってリング様構成を有する。前方ベルト１５及び後方ベルト１６のそれぞれは、中央パネル８０Ｆ、８０Ｂと、中央パネル８０Ｆ、８０Ｂと切れ目がなく連続し、かつ中央パネル８０Ｆ、８０Ｂから横方向外側に延在する側部パネル８２Ｆ、８２Ｂとを有する。したがって、ベルト部分１１は、中央パネル８０Ｆ、８０Ｂと、側部パネル８２Ｆ、８２Ｂとを備える。本明細書において、前方部材の一部分及び後方部材の一部分は、必要に応じて、それぞれ、接尾語「Ｆ」及び接尾語「Ｂ」を伴う参照番号によって示され得る。したがって、「中央パネル８０Ｆ、８０Ｂ」は、例えば、「前方中央パネル８０Ｆ」及び「後方中央パネル８０Ｂ」を表す。「中央パネル８０」も同様に、「前方中央パネル８０Ｆ」及び「後方中央パネル８０Ｂ」を意味してもよい。
【００３６】
前方ベルト１５及び後方ベルト１６のそれぞれは、横方向に延在する遠位縁部８８Ｆ、８８Ｂと、横方向に延在する近位縁部９０Ｆ、９０Ｂと、長手方向に延在する左及び右側縁部８９Ｆ、８９Ｂと、を有する。本明細書において、用語「近位」は、シャーシの股部パネルに対して、「遠位」部分の位置よりも近い「近位」部分の位置を指示するために使用される。したがって、近位縁部９０Ｆ、９０Ｂは、本体３８の股部パネル５６に対して、遠位縁部８８Ｆ、８８Ｂより近くに位置される。前方及び後方ベルト１５、１６は、シーム３２において接合され、又はシーム３２において側縁部８９Ｆ、８９Ｂに隣接して、腰部開口部３６及び２つの脚部開口部３４を有するプルオン物品を形成する。前方中央パネル８０Ｆは、部分的に又は全体的に、シャーシ１０の前方腰部パネル５２と重なり合ってもよい。後方中央パネル８０Ｂは、部分的に又は全体的に、シャーシ１０の後方腰部パネル５４と重なり合ってもよい。しかしながら、中央パネル８０Ｆ、８０Ｂは、シャーシ１０の股部部分１４内へとは延在せず、また股部部分１４内には配置されない。図２に示される実施形態では、中央パネル８０Ｆ、８０Ｂは、それぞれ、前方腰部パネル５２及び後方腰部パネル５４と部分的に重なり合い、また前方腰部パネル５２及び後方腰部パネル５４に接合される。
【００３７】
シャーシ１０及びベルト部分１１は、別個の要素で形成されてよい。例えば、ベルト部分１１は、任意の既知の方法によってシャーシ１０に接合されてよい。図１、２、及び３に示す実施形態では、シャーシ１０は、本体３８の腰部パネル５２、５４と、本体３８の股部パネル５６とを備える。本体３８は、液体透過性トップシート５８、液体不透過性バックシート６０、及びそれらの間に配置される吸収性コア６２を備える。本体３８は、長手方向側縁部４８に沿って配置されるバリア脚カフ６４を追加的に備えてもよい。バリア脚カフ６４は、股部領域３０内の液体及び他の身体排出物の、改善された収容性を提供する。バリア脚カフ６４は、プルオン吸収性物品のための当該技術分野において既知の機能又は設計のいずれを有してもよい。例えば、バリア脚カフ６４は、一般的に１つ又は複数の、例えば脚カフストランド６５などのストランド（図４）内の弾性材料と共に提供され得る。バリア脚カフ６４は、「直立」、脚部ガスケッティング、又は他の所望の特徴を得るためにそのような弾性体に対して様々な形状に折り畳まれてよい。
【００３８】
液体透過性トップシート５８は、好ましくは吸収性コア６２の身体に面する表面に隣接して位置付けられ、当技術分野において既知のいずれかの取り付け手段によって、吸収性コア６２の身体に面する表面及び／又はバックシート６０に取り付けられてもよい。液体不透過性バックシート６０は概して、吸収性コア６２の衣類に面する面に隣接して位置付けられるプルオン吸収性物品２０の一部であり、吸収性コア６２内に吸収され収容された排出物が、プルオン吸収性物品２０に接触し得る物品を汚すのを防ぐ。吸収性コア６２は、トップシート５８とバックシート６０との間に位置付けられ、尿及び他の特定の身体排出物といった液体を吸収し、保持する。トップシート５８、バックシート６０、及び吸収性コアは、任意の既知の材料によって製造されてよい。好適なトップシート材料には、多孔質発泡体、網状発泡体、有孔プラスチックフィルム、又は天然繊維（例えば、木材繊維若しくは綿繊維）、合成繊維（例えば、ポリエステル繊維若しくはポリプロピレン繊維）、又は天然繊維と合成繊維との組み合わせによる織布ウェブ又は不織布ウェブが挙げられ得る。適切なバックシート材としては、蒸気をおむつから逃がすが、排出物がバックシートを通過することは防ぐ通気性材料が挙られる。好適な吸収性コア材料には、捲縮セルロース塊、コフォームを包むメルトブローンポリマー、化学的に剛化、変性、若しくは架橋されたセルロース繊維、ティッシュラップ及びティッシュ積層体を含むティッシュ、吸収性発泡体、吸収性スポンジ、超吸収性ポリマー、吸収性ゲル材料、又は任意の他の既知の吸収性材料、又は材料の組み合わせが挙げられ得る。
【００３９】
図１〜３に示す発明の実施例では、外側カバー層４２は、プルオン吸収性物品２０の外側表面２２に配置され、吸収性本体３８の股部パネル５６を覆う。外側カバー層４２は、本体３８の前方腰部パネル５２及び後方腰部パネル５４内へと延在し、本体３８の前方腰部パネル５２及び後方腰部パネル５４を被覆してもよい。外側カバー層４２は、本体３８の液体不透過性バックシート６０に直接接合され、本体３８の液体不透過性バックシート６０を被覆する。前方及び後方ベルト１５、１６部分の中央パネル８０は、外側カバー層４２を通して、本体３８の前方腰部パネル５２及び後方腰部パネル５４に接合される。
【００４０】
したがって、この実施例に示すように、外側カバー層４２は、前方及び後方ベルト１５、１６と本体３８の液体不透過性バックシート６０との間に挟まれてもよい。外側カバー層４２は、液体不透過性バックシート６０と同一の広がりを持ってもよいが、同一の広がりを持つ必要はない。図４に示すように、脚部弾性材料１１８は、本体３８の長手方向側縁部４８に沿って概ね長手方向に延在するように配置されてもよい。脚部弾性材料１１８は、少なくともプルオン物品２０の股部領域３０内に配置されてもよく、又は長手方向側縁部４８の全体に沿って配置されてもよい。
【００４１】
外側カバー層４２は、ベルト１１を構成する内側層９４及び外側層９２の材料とは別の材料を含んでもよい。外側カバー層４２は、２つ又はそれ以上の（two of more）材料の層を含んでよい。外側カバー層４２は任意の既知の材料を含んでよく、また上記の前方及び後方ベルト１５、１６に用いられる材料を含んでよい。好ましくは、外側カバー層４２は合成繊維からなる不織布ウェブの単層を含む。
【００４２】
ベルト部分１１は、リング様かつ弾性体であってよい。リング様弾性ベルト部分１１は、プルオン物品２０の腰部開口部３６の周囲に横方向に延在し、フィット力を動的に形成するように働き、着用中に動的に生成される力を分配する。リング様弾性ベルト部分１１は、外側層９２を含むベルト層９１（図３に示すように）を含んでよい。ベルト層９１は、内側層９４を更に含んでよい。ベルト弾性材料９６は、外側層９２と内側層９４との間に介在する。前方ベルト部分１５及び後方ベルト部分１６は、同一の材料を含んでもよく、及び／又は、同一の構造を有してもよい。あるいは、前方ベルト部分１５及び後方ベルト部分１６は、異なる材料を含んでもよく、及び／又は、異なる構造を有してもよい。図２の実施形態では、前方ベルト部分１５及び後方ベルト部分１６は、一般に同一の層構造を有する。図３を参照すると、内側層９４は、横方向に延在する遠位端１０４と、横方向に延在する近位端１０６とを有する。外側層９２は、横方向に延在する遠位末端縁部１０８と、横方向に延在する近位末端縁部１１０とを有する。内側層９４は、前方及び後方ベルト部分１５、１６の輪郭と、ほぼ同一の広がりを持つ。あるいは、内側層９４は、前方及び後方ベルト部分１５、１６の大きさより小さくてもよい。ベルト層９１の外側層９２は、長手方向において内側層９４の大きさより長く、外側層９２の端フラップ１１２は、折り畳まれて、内側層９４の遠位端１０４を腰部開口部３６にて被覆し、外側層９２の遠位末端縁部１０８を形成する。ベルト層９１の内側層９４もまた、端フラップを有してもよく、それは外側層９２の端フラップ１１２と共に折り畳まれてもよい。内側層９４の端フラップは、外側層９２の端フラップより長くても、又は短くても、又は等しくてもよい。あるいは、端フラップ１１２は、外側層９２が腰部開口部３６にて終結して、遠位末端縁部１０８を形成するように、除去されてもよい。図２及び３に示される実施形態では、外側層９２の遠位末端縁部１０８及び近位末端縁部１１０は、それぞれ、前方及び後方ベルト１５、１６の遠位縁部８８及び近位縁部９０に対応する。遠位末端縁部１０８と近位末端縁部１１０とによって包囲される外側層９２は、図２及び３に示される実施形態では、前方及び後方ベルト１５、１６の形状を画定する。
【００４３】
前方及び後方ベルト部分１５、１６は、任意の既知の材料を含んでもよい。前方及び後方ベルト部分１５、１６に好適な材料は、プラスチックフィルム、孔あきプラスチックフィルム、天然材料（例えば、木材繊維若しくは木綿繊維）、合成繊維（例えば、ポリオレフィン類、ポリアミド類、ポリエステル、ポリエチレン、若しくはポリプロピレンの繊維）、又は天然繊維及び／若しくは合成繊維の組み合わせの織布ウェブ若しくは不織布ウェブ、又はコーティングされた織布ウェブ若しくは不織布ウェブなど、広範囲にわたる材料から製造することができる。好ましくは、ベルトは、合成繊維の不織布ウェブを含む。ベルトは、伸縮性不織布を含んでもよい。より好ましくは、ベルトは、内部疎水性で非伸縮性の不織布材及び外部疎水性で非伸縮性の不織布材を含む。
【００４４】
ベルト弾性材９６は、腰部弾性材９８及び側部弾性材１００を含む。腰部弾性材９８は、横方向に延在するストランド又はパネルなどの１つ以上の弾性要素を含んでよい。側部弾性材１００はまた、横方向に延在するストランド又はパネルなどの１つ以上の弾性要素を含んでよい。腰部弾性材９８は、前方及び後方ベルト部分１５、１６の遠位縁部８８に沿って連続的に配置されてよい。側部弾性材１００は、前方及び後方ベルト部分１５、１６の側部パネル８２に配置されてよい。図２に示される実施形態では、腰部弾性材９８及び側部弾性材１００は、一定の間隔で長手方向に配置される複数の弾性ストランドを含む。あるいは、腰部弾性材９８及び側部弾性材１００は、異なる間隔で長手方向に配置されてもよい。吸収性コア６２と重なり合う、好ましくは、本体３８の前方及び後方腰部パネル５２、５４と重なり合う前方及び後方ベルト部分１５、１６の中央パネル８０の一部に弾性材を提供することはできない。あるいは、中央パネル８０全体に弾性材を提供することはできない。中央パネル８０上の非弾性領域は、中央パネル８０の領域内に連続的に配置される腰部弾性材９８及び／又は側部弾性材１００を切断することによって、形成されてよい。しかしながら、必要であれば弾性材料を中央パネル８０内に提供してもよい。
【００４５】
通常、伸長状態にあるベルト弾性材９６は、非収縮状態の外側層９２と非収縮状態の内側層９４との間に介在して、接合される。ベルト弾性材９６が弛緩しているとき、ベルト弾性材は、非伸長状態に戻り、外側層９２及び内側層９４を収縮させる。ベルト弾性材９６は、リング様弾性ベルト１１の領域内で望ましい収縮力の変化をもたらし得る。例えば、前方ベルト部分１５の収縮力は、後方ベルト部分１６の収縮力より大きくてもよく、又は小さくてもよい。腰部弾性材９８の収縮力は、側部弾性材１００の収縮力より大きくてもよく、又は小さくてもよく、これは一般に腰部開口部３６で着用者に対する固定力のあるプルオン物品２０を提供することが好ましい。
【００４６】
本発明のプルオン使い捨て吸収性物品はまた、物品のベルト部分に配置された少なくとも１つのフィット性表示図形と共に提供される。図１に示される発明の実施例では、プルオン使い捨て吸収性物品２０は、物品２０のベルト部分１１に配置された一連のフィット性表示図形１２０と共に示される。少なくとも１つの（A least one）フィット性表示図形１２０は、ベルト部分１１の中央パネル８０内、より詳細には前方中央パネル８０Ｆ内に配置されてよい。２つ以上のフィット性表示図形１２０を使用する場合、これらは全てベルト部分１１の中央パネル８０内に配置されてよく、又はベルト部分１１内の、例えば中央パネル８０内並びに左側及び右側ベルト部分１７及び１８内など、場所を組み合わせて配置されてよい。１つ以上のフィット性表示図形１２０はまた、いずれもベルト部分の中央パネル８０内に配置されずに右側又は左側ベルト部分１７及び１８内だけに配置されてよい。
【００４７】
少なくとも１つのフィット性表示図形１２０が、着用者及び／又は介助者によって容易に認知できるベルト部分１１内の場所に配置されることが通常望ましい。少なくとも１つのフィット性表示図形１２０を前方ベルト部分１５に配置することによって、フィット性表示図形は、物品２０の着用者及び介助者の両方が容易に認知できるように配置され得る。フィット性表示図形１２０は、前方ベルト部分１５に追加して、又は前方ベルト部分１５に代わるものとして（そのような代わりの配置は、物品２０を使用中に物品２０の着用者がフィット性表示図形１２０に気付く能力に影響を与えることが予想され得るが）、後方ベルト部分１６内に配置され得る。
【００４８】
ベルト部分１１内でのいくつかのフィット性表示図形の配置に関係なく、複数のフィット性表示図形が同一の物品２０で使用されるとき、それらは同様又は同一の外観を有することが望ましい。更に述べるように、特定の場所におけるベルト部分の伸長、つまり歪みの量は、ベルト部分１１全体に適用される所与の歪みの量に関してベルト部分１１にわたって均一でないこともある。しかしながら、各フィット性表示図形１２０は、物品２０のベルト部分１１全体の同様の使用中の歪みにおいて（同一の局所的伸長とは限らない）、その第１の外観から第２の外観及び第３の外観へ遷移するように（以下に更に述べるように）構成される必要がある。換言すれば、物品２０に適用される全体的伸長力（着用者の身体によって使用中にベルト部分１１に適用されるなどが、ベルト部分１１がその設計フィット範囲まで歪みを与えられるものである場合、その後ベルト部分１１に適用される全てのフィット性表示図形１２０は、視覚的に同様の第２の外観に遷移する必要がある。このことは、例えばベルト部分８０の中央パネル内の局所的歪みが、例えば左側ベルト部分１７の局所的歪みと異なったとしても起こるはずである。
【００４９】
伸長力がプルオン物品２０のベルト部分１１に適用されないとき、ベルト部分１１は、縮み切った、つまり「ゼロ歪」状態である。プルオン吸収性物品２０が着用者によって着用されて、最もよくフィットするように設計されているとき、物品２０のベルト部分１１は設計フィット範囲内の点まで伸長されると言われる。設計フィット範囲は、予定された着用者の腰部サイズ範囲に対応する。設計フィット範囲内の腰部サイズを有する着用者に対して物品が正しく所定の位置にあるとき、物品２０のベルト部分１１は、設計フィット範囲内の点まで歪みを与えられる。ベルト部分１１内のエラストマー材９６は、製品を着用者の身体上に定着させるように働く戻り力を生成する傾向がある。これらの定着力と、荷重がかかるにつれて物品を下向きに引っ張る傾向がある力のような物品２０を弛ませる又は下垂させる傾向がある力とのバランスを取ることが望ましい。
【００５０】
物品２０を着用者の身体に適用するために、使用中に伸長される点を越えて（すなわち、設計フィット範囲を越えて）腰部開口部３６を広げることが通常必要である。通常、物品２０のベルト部分１１は、設計フィット範囲を著しく越えて伸長され得る。例えば、ベルト部分１１は、設計フィット範囲の中間に対応する歪みより少なくとも１００％又は更には２００％大きく伸縮可能であってよい。そのような過伸長は、製品の適用に有用である一方で（腰部開口部３６を靴の上からより容易に身に着けるなど）、使用中にベルト部分１１を過伸長させることは望ましくない。この文脈において用語「過伸長させる」は、使用中にベルト部分１１が、物品の設計フィット範囲を越える全長まで歪みを与えられることを意味する。この状態は最も一般的には、製品が最適に設計された着用者のサイズより、着用者が大きいときに（例えば腰部サイズにおいて）生じる。
【００５１】
プルオン物品２０のベルト部分１１がゼロ歪状態であるとき、フィット性表示図形は、第１の外観を呈する（図５に示される第１の外観１２３など）。そのような第１の外観は、フィット性表示図形１２０と図１に示されるような参照図形１２２との比較によって示されてもよい。参照図形１２２は、ベルト領域１１の外側の物品２０のシャーシ１１上に配置される。参照図形は、フィット性表示図形１２０のそれであるが、参照図形１２２はフィット性表示図形の第２の外観を備えて示される（以下に更に議論される）。物品２０が着用されるとき、参照図形１２２は、一般に外観に認知できる変化を受けないため、フィット性表示図形１２０の外観の変化に対して基準又は参照になる。
【００５２】
本発明の全ての実施で参照図形１２２を有する必要はない。フィット性表示図形１２０は、「自己参照」として選択及び構成されてよい。例えば、図１に示すように、フィット性表示図形は「フェースマーク」であってもよい。ゼロ歪すなわちこのフェースマークの第１の外観では、これはつぶれた楕円形として見え、円形、つまり対称ではない。このような対称でないことは、フィット性表示図形１２０がベルト部分１１の（設計フィット範囲と比較して）伸長不足状態に対応する第１の構成であることを明示する。円、三角形、又は正方形など長手方向及び横方向の対称を有する、又は有さないと認識されるフィット性表示図形の他の実施例はまた、参照図形を使用せずに使用されてよい。
【００５３】
フィット性表示図形１２０は、ベルト部分１１がゼロ歪（すなわち、非伸長）から物品２０の設計フィット範囲より下の点までの範囲内で歪みを与えられる間、第１の外観に見える。物品２０のベルト部分１１が物品２０の設計フィット範囲内の点まで引っ張られると、フィット性表示図形は、第２の外観に見える。第２の外観に示されるフィット性表示図形の実施例は、図６及び９に第２の外観のフィット性表示図形１２５及び２２５として示される。図５に示される第１の外観のフィット性表示図形１２２と対照的に、図６に示される第２の外観のフィット性表示図形１２５は円形（すなわち対称）であり、つぶれた楕円形ではない。同様に、図９に示される第２の外観のフィット性表示図形２２５は、対称（すなわち正三角形）であり、図８に第１の外観の表示図形２２３として示されるような縮小された三角形ではない。図６及び９に示されるように、ベルト部分１１は、（外力が適用されていない図５及び８と対照的に）プルオン吸収性物品の設計フィット範囲の伸長力に対応する伸長力ＦＤを受けている。
【００５４】
本発明で参照図形１２２が使用される状況では、参照図形１２２は、その第２の外観におけるフィット性表示図形と同じ可視外観を有してよい。これにより、ユーザーは、フィット性表示図形と参照図形１２２を比較して、相似性をチェックすることができる。図形が実質的に同一のように見えるとき、ユーザーは、その製品が設計フィット範囲内で着用されていることを確認することができる。
【００５５】
物品２０のベルト部分１１がその設計フィット範囲を越えて伸長されるとき、フィット性表示図形１２０は、第３の外観に見える。第３の外観に示されるフィット性表示図形の実施例は、図７及び１０に第３の外観のフィット性表示図形１２７及び２２７として示される。図６に示される第２の外観のフィット性表示図形１２５と対照的に、図７に示される第３の外観のフィット性表示図形１２７は細長い楕円形であり、対称的な円形ではない。同様に、図１０に示される第３の外観のフィット性表示図形２２７は、細長い三角形であり、図９に第２の外観の表示図形２２５として示されるような対称、すなわち正三角形ではない。図７及び１０に示されるように、ベルト部分１１は、プルオン吸収性物品の設計フィット範囲の伸長力を越える大きさに対応する伸長力ＦＥを受けている。
【００５６】
本発明で参照図形１２２が使用される状況では、その第３の外観におけるフィット性表示図形１２０は、参照図形と比較して横方向に細長く見える。これにより、ユーザーは、フィット性表示図形と参照図形１２２を比較して、製品が物品２０の設計フィット範囲を越える伸長構成で着用されていることを確認することができる。設計フィット範囲を越えるベルト部分１１の歪みがある状態でプルオン物品を使用することは通常可能であるものの、これは製品の最も好ましい性能をもたらすことができない。したがって、使用する際、第３の外観へのフィット性表示図形の遷移は、ユーザーが特定の着用者に対応する設計フィット範囲を有する異なるサイズのプルオン物品（例えば、より大きなサイズ）を使用するべきであるという信号と見なされることが望ましい。
【００５７】
本発明のフィット性表示図形１２０は、様々な適した方法でプルオン物品２０に提供されてよい。例えば、フィット性表示図形１２０は、ベルト部分１１の層の１つの上に直接印刷されてもよい。１つのそのような場所は、外側層９２の外側であってよい。そのような場所は、最も鮮明な像となりながら、図形を含むインクとベルト部分１１の外側層９２を含む材料との間の相対接着によって、例えば、衣類、絨毯などの上へのインクの移りにつながる恐れがある。そのため、フィット性表示図形１２０はまた、外側層９２の内側表面上、又は内側層９４の外側表面上に印刷されてもよい。あるいは、フィット性図形１２０は、外側層９２と内側層９４との間にベルト弾性材９６と共に介在され得る、別個の層、シート、又はフィルム（図示なし）の上に印刷されてもよい。そのような別個のシート、フィルム、又は層が使用される場合、それはベルト部分弾性材９６の伸長及び回復を妨げないように配置される必要がある。
【００５８】
図１及び３に示される実施例では、フィット性表示図形１２０は、内側層９４の外側表面上に印刷される。フィット性表示図形１２０を含む像は、任意の好適な画像作成方法によって物品２０に追加されてよい。例えば、像は、フレキソ印刷、インクジェット印刷、スクリーン印刷、又は輪転グラビア印刷を使用して形成され得る。フィット性表示図形１２０は、内側層９４がその細長い状態である間に印刷されてよい（弾性材９６の適用前、又は内側層９４が弾性体９６の弛緩の動作によって収縮してギャザーを寄せることが可能になった後など。どちらにしても、フィット性表示図形１２０が印刷されている初期構成は、使用中のベルト部分１１の歪みとフィット性表示図形１２０の第１の外観１２３、第２の外観１２５、及び第３の外観１２７との関係が維持されるように、任意の後に続く伸長及びギャザー化に応じて調整する必要がある。
【００５９】
ベルト部分１１の歪みの状態とフィット性表示図形の外観の状態（第１、第２、又は第３）との間の関係の維持を示すために、いくつかの可能性のある実施例を議論する。一実施例では、フィット性表示図形は、弾性材の適用より前に（すなわち、内側層が平坦な状態である間に）、内側層の外側表面に適用されてよい。この実施例では、フィット性表示図形は、内側層が構成体上で収縮するとき、フィット性表示図形もまたその第１の、つまり短縮された外観まで収縮するように、通常細長い又は伸長した形状（第３の外観の形状など）で印刷される）。フィット性表示図形の正確な形状は、物品のベルト部分が設計フィット範囲まで伸長されたときにフィット性表示図形が第２の外観の状態に見えるように、最終的に所望される物品の設計フィット範囲に基づいて決める必要がある。同様に、フィット性表示図形もまた、ベルト部分がそのような設計フィット範囲を越えて歪みを与えられるとき、第３の外観の状態に見える必要がある。
【００６０】
別の実施例として、フィット性表示図形１２０は、弾性材９６が収縮できるようになった後で適用されてよい。そのような状況では、フィット性表示図形１２０は、例えば露出した外側表面に適用されてよい。一般に、ギャザーを寄せたベルト部分１１の隆起部は、像の構成要素を受容することができるが、（ギャザーを寄せたベルト部分１１内の）隆起部間の谷部分は、通常は像を受容しない。しかしながら、ベルト部分１１が歪みを与えられるにつれて、フィット性表示図形１２０は、ベルト部分１１と共に広がる。この実施例でフィット性表示図形１２０は、通常第１の外観１２３のような第１の外観の状態で適用される。フィット性表示図形１２０の正確な初期形状は、ベルト部分１１が物品２０の設計フィット範囲まで広げられたときに、フィット性表示図形１２０が第２の状態１２５などのように第２の状態に見えるように選択される。ベルト部分１１のそのような伸長の間、フィット性表示図形１２０は、「すき間」を生じるように見えてよいが、その図形は、外観全体が第１の外観の状態又は第２の外観の状態又は第３の外観の状態であるかをユーザーが判定できる連続的な設計として引き続き認識可能である必要があることが認識される。物品２０がその設計フィット範囲を越えて引っ張られるにつれて、フィット性表示図形は、第３の外観の状態１２７のような第３の外観の状態までより一層広がる。
【００６１】
参照図形１２２などの参照図形が使用される場合、この図形もまた、フィット性表示図形の適用に好適な任意の方法を使用するなど任意の好適な方法で適用されてよい。参照図形はまた、物品２０の層の１つに適用されてよいか、又はこの目的のために使用される独自の層若しくは材料に適用されてよい。例えば、参照図形１２２は、シャーシ部分１０内の外側カバー４２の外側若しくは内側表面上に直接印刷されてよいか、又は前記外側カバー４２の内側に配置された追加の層（図示なし）に印刷されてよい。
【００６２】
本発明のフィット性表示図形を適用する別の方法は、ベルト部分１１の層の間で対照的なソリッドカラーを使用することである。一実施例として、ベルト部分１１は、ベルト部分を含む外側層にほのかな色又は他の色合いを含んでよい。ベルト部分１１が伸長されるにつれ、その色合いの外観は、色材が広がるために次第に薄れるなどによって変化するように見える。別の実施例として、ベルト部分は、中が透けて見える又はスリットの外側層を下部の対照的な色層と共に含んでよい。ベルト部分が伸長されるにつれ、外側層を通して視認性がより高くなり（自然に又はスリット開口部によって更に）、下部の対照的な層の色を更に多く露出する。そのような色の変化のメカニズムをフィット性表示図形に使用するとき、フィット性表示図形の第２の外観の状態の実施例を示す参照図形を使用することが望ましい場合もある。これは、そのような色の変化が対称又は非対称として自然に知覚されるとは限らないためであり、したがって、他の実行と同じように容易に「自己参照」することはできない。他の代替として、参照は、製品が提供されるパッケージ上など製品自体以外の場所に配置され得る。
【００６３】
図１１〜１４は、フィット性表示図形のそのような色の変化のメカニズムの１つの考えられる実施例を示す。図１１は、第１の外観の状態３２４でベルト部分１１上に配置されたフィット性表示図形を示す。ベルト部分１１に伸長させる荷重は適用されない。図１２は、設計力の荷重ＦＤを受けるベルト部分１１及び第２の外観の状態３２５におけるフィット性表示図形を示す。図１３は、設計力を越える伸長力ＦＥを受けるベルト部分１１及び第３の外観におけるフィット性表示図形を示す。図１４は、物品上に配置されていないがシャーシ部分１０上に位置する参照図形３２２のサンプルを示す。図１４に示されるバージョンでは、参照図形３２２は、色構成を調和させることによって第２の外観３２５を有するフィット性表示図形と連携する。
【００６４】
本発明のフィット性表示図形の状態はまた、提供される参照図形の外観を補完することによって判定され得る。実施例として（図示なし）、参照図形は、像又はシーンの一部を含んでよい。フィット性表示図形は、第２の外観の状態において、参照図形の外観を最もよく完成するか又は補完（compliments）するように構成され得る。
【００６５】
フィット性表示図形がどのようにプルオン物品２０に適用されるか又は構成されるかにかかわらず、設計フィット範囲に対するベルト部分１１の歪みの範囲と第１の外観、第２の外観、又は第３の外観におけるフィット性表示図形の外観との間の関係は、上述のように維持する必要がある。一実施例では、本発明のプルオン物品は、「中」又は「Ｍ」サイズの製品として分類され得る。そのような製品は、製品が弛緩しているすなわちゼロ歪状態であるとき、３００ｍｍ未満のベルト部分１１によって画定される腰部開口部３６の全周を有し得る。そのような状態では、フィット性表示図形１２０は、第１の外観１２３又は２２３のような、その第１の外観を示す。図５及び図８に示されるように、ベルト部分１１は外部の荷重若しくは力、又は適用される最小の力を有さないことがある。
【００６６】
そのような「Ｍ」サイズのプルオン物品の設計フィット範囲は、４２０ｍｍ〜４５０ｍｍの腰部開口部３６周囲に対応し得る。そのような「Ｍ」サイズのプルオン物品のベルト部分は、結果として生じる腰部開口部周囲がこの４２０ｍｍ〜４５０ｍｍの範囲内であるような着用者によって着用されるとき、フィット性表示図形１２０は第２の外観１２５又は２２５のようなその第２の外観を示すはずである。図６及び９は、ベルト部分１１の伸長部分と物品２０の最終フィット性との間の関係を示す伸長力ＦＤを受けるベルト部分を示す。第１の外観の状態から第２の外観の状態及び最終的に第３の外観の状態への遷移は、不連続というよりはむしろスペクトルに沿っているため、この実施例では、フィット性表示図形は、ベルト部分１１の全周が４３５ｍｍに近いとき、最も対称に見えるはずである。「Ｍ」サイズのプルオン物品のベルト部分１１が周囲において４３５ｍｍを越えて歪みを与えられるとき（より大きな着用者によって着用されるか、又は図７及び９に示されるＦＥのような設計を越える力を受けるときなど）、フィット性表示図形１２０は第３の外観の状態１２７のような第３の外観の状態を示すはずである。
【００６７】
上述の「Ｍ」サイズのプルオン物品の実施例では、フィット性表示図形が第３の外観の状態を呈するとき（例えば、ベルト部分が４５０ｍｍの周囲を越えて歪みを与えられたとき）、ユーザーは、「大」又は「Ｌ」サイズの物品などのより大きな製品提供への移行を提案され得る。そのような「Ｌ」サイズの物品はまた、本発明に従って構成することができ、フィット性表示図形を含む。「Ｌ」サイズの物品のフィット性表示図形は、ベルト部分が４５０ｍｍ未満まで歪みを与えられるとき、第１の外観の状態（sate）を有してよい。同様に、そのような「Ｌ」サイズの物品は、フィット性表示図形が第２の外観の状態を示す４５０ｍｍ〜４８０ｍｍの設計フィット範囲を有してよい。「Ｌ」サイズの物品は、ベルト部分の周囲が４８０ｍｍより大きいとき、更に過伸長構成（設計と比較して）であり得る。この状況では、「Ｌ」サイズの物品のフィット性表示図形は、記載のとおり第３の外観の状態を示すはずである。
【００６８】
実施例を更に挙げるために、「ＸＬ」サイズなどの更に大きなサイズの第３のプルオン物品をまた提供することができる。意図された着用者によって着用されているときに、上述の「Ｌ」サイズの物品が第３の外観の状態のフィット性表示図形を示す場合、この「ＸＬ」サイズの物品を利用することを、ユーザーに推奨、指示、又は提案することができる。
【００６９】
本発明の２つ又はそれ以上のプルオン物品は、製品のアレイとして組み合わせで提供され得る。そのようなアレイは、購買者がアレイのメンバー間のサイズ関係を見ることができる製品提供のラインナップとして売られるか又は販売に供されてよい。アレイ内の製品上のフィット性表示図形は、選択された製品が着用者にとって妥当なサイズ（設計フィット範囲内）であることの確認をもたらす、又はユーザーがより大きいサイズ（フィット性表示図形が第３の外観の状態に見える場合）若しくはより小さいサイズ（フィット性表示図形が第１の外観の状態に見える場合）へ移行するべきであることの目安を提供することができる。そのようなアレイは、適切なサイズのユーザーにおいて本発明によるプルオン物品がそれぞれ使用され、アレイ内の全ての物品の最適な製品性能を実現する可能性を最大にする。
【００７０】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【００７１】
任意の相互参照又は関連特許若しくは関連出願を包含する本明細書に引用される全ての文献は、明確に除外ないしは別の方法で限定されない限り、その全てを本明細書中に参照により組み込まれる。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００７２】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【図１】
0006026644.tif 000002
【図２】
0006026644.tif 000003
【図３】
0006026644.tif 000004
【図４】
0006026644.tif 000005
【図５】
0006026644.tif 000006
【図６】
0006026644.tif 000007
【図７】
0006026644.tif 000008
【図８】
0006026644.tif 000009
【図９】
0006026644.tif 000010
【図１０】
0006026644.tif 000011
【図１１】
0006026644.tif 000012
【図１２】
0006026644.tif 000013
【図１３】
0006026644.tif 000014
【図１４】
0006026644.tif 000015